(57)【要約】【課題】記録紙の取り出しに際して記録紙に担持されているトナーによるレジストローラの汚染を確実に防止できる構成を備えた記録紙搬送装置を提供する。【解決手段】記録媒体の搬送路に設けられて該搬送路を挟んで対構造をなすレジスト手段９を備えた記録媒体搬送装置１において、レジスト手段９の一方９Ａは、搬送路を構成する不動部１Ａに支持され、レジスト手段の他方１１Ｂは、不動部１Ａに対して開閉可能に設けられた開閉カバー２０に支持され、レジスト手段９の他方９Ｂは、開閉カバー２０の開放時に搬送路と対面する位置から開閉カバー２０の内部に向けて移動して収納される機構２３を備えていることを特徴とする。【選択図】図４
2010191109.tif 000002
【特許請求の範囲】
【請求項１】
記録媒体の搬送路に設けられて該搬送路を挟んで対構造をなすレジスト手段を備えた記録媒体搬送装置において、
前記レジスト手段の一方は、前記搬送路を構成する不動部に支持され、該レジスト手段の他方は、前記不動部に対して開閉可能に設けられた開閉カバーに支持され、該レジスト手段の他方は、前記開閉カバーの開放時に前記搬送路と対面する位置から前記開閉カバーの内部に向けて移動して収納される機構を備えていることを特徴とする記録媒体搬送装置。
【請求項２】
前記開閉カバーの開放時に前記レジスト手段が前記開閉カバーの内部に向け移動して収納される機構は、該開閉カバーの開閉支点の回動に連動する歯車と該歯車に噛み合うことで連動可能なギヤ部を外周に備えた収容歯車を備え、該収容歯車は、外周側に前記レジスト手段の他方の支持部を有して前記開閉カバーの開放時、前記レジスト手段の他方を前記搬送路に対面する位置から該開閉カバーの内部に向け移動させて収容することを特徴とする請求項１に記載の記録媒体搬送装置。
【請求項３】
前記記録媒体の搬送路には、複数の回転部材が対面させて並置され、該回転部材は、前記開閉カバーの開放時に前記搬送路から離間する機構を備えていることを特徴とする請求項１に記載の記録媒体搬送装置。
【請求項４】
前記開閉カバーの開放時に前記回転部材を前記搬送路から離間させる機構は、前記開閉カバーの開閉支点の回動に連動する歯車と、該歯車に噛み合い、該歯車の回転に連動して往復動可能な摺動部材とを備え、該摺動部材には、往復動位置に応じて前記回転部材を前記搬送路に対して接離させる駆動部が設けられていることを特徴とする請求項３に記載の記録媒体搬送装置。
【請求項５】
前記摺動部材には、前記回転部材の支軸を前記搬送路に対して接離させる方向に変位させる突没部が設けられ、往復動位置に応じて前記支軸に対する前記突没部との対向位置を変化させることを特徴とする請求項４に記載の記録媒体搬送装置。
【請求項６】
前記レジスト手段の他方および前記回転部材は、前記開閉カバーの開放時に回動する前記開閉支点に連動する歯車により、前記搬送路から離間する構成であることを特徴とする請求項３に記載の記録媒体搬送装置。
【請求項７】
前記レジスト手段の他方には、前記開閉カバーの開放に連動して周囲を覆う遮蔽部材が備えられていることを特徴とする請求項１，３または６のいずれかに記載の記録媒体搬送装置。
【請求項８】
前記遮蔽部材は、前記開閉カバーの回動支点近傍の不動部に設けられて突状ガイド面を有する変位ガイド部材と、前記開閉カバーに設けられている支点を中心としてシーソー運動可能であって、該シーソー運動用支点を境にして一端側には前記レジスト手段の他方を覆うことが可能な遮蔽板が設けられ、他端側が前記変位ガイド部材の突状ガイド面に当接する習性を有する遮蔽変位部材と、
前記遮蔽変位部材と当接して該遮蔽変位部材が前記開閉カバーの開閉に応じて支点位置を変位させるのに応じて前記遮蔽板の位置を前記レジスト手段の他方を覆う位置と該覆う位置から離れた位置とに前記遮蔽変位部材をガイドする摺動ガイド部材とを備えていることを特徴とする請求項７に記載の記録媒体搬送装置。
【請求項９】
請求項１乃至８のいずれかに記載の記録媒体搬送装置を備えたことを特徴とする画像形成装置。
【請求項１０】
前記記録媒体搬送装置は、展張面を有するベルトを備え、該ベルトの展張面に沿って異なる色の画像形成ユニットが並置されていることを特徴とする請求項９に記載の画像形成装置。
【発明の詳細な説明】
【技術分野】
【０００１】
本発明は、記録媒体搬送装置および画像形成装置に関し、さらに詳しくは、記録媒体の一つである記録紙の搬送部材としてベルトを用いた場合の記録紙の取り出し機構に関する。
【背景技術】
【０００２】
周知のように、複写機やプリンタあるいは印刷機などの画像形成装置においては、潜像担持体である感光体上に形成された静電潜像が現像装置から供給される現像剤によって可視像処理される。可視像処理された画像は、記録紙などに記録媒体に転写され、定着されることで複写出力とされる。
【０００３】
画像転写を受ける記録媒体として用いられる記録紙は、給紙装置から繰り出された後、レジストローラによって画像位置との整合タイミング、いわゆる、レジストタイミングを設定されて画像転写位置に向け搬送される。
【０００４】
一方、レジストタイミングを設定されて搬送される記録紙は、複数の色の画像形成部を通過させてフルカラーの画像を転写される対象となりうるものであり、この場合には、各画像形成処理部が並置された展張面を有するベルトを用いる構成が知られている。このような画像形成処理部をベルトの展張面に沿って並置する方式はタンデム方式と称されている（例えば、特許文献１）。
【０００５】
ところで、給紙装置から繰り出された記録紙は、ベルトに担持された状態で各画像形成処理部を通過することになるが、搬送過程においてベルトと画像形成処理部に装備されている感光体との間で紙詰まり、いわゆる、ジャムが発生することがある。
【０００６】
従来、ジャムが発生した記録紙は装置外に取り出して次の画像形成時での記録紙搬送に支障を来さないようにする作業が実行される。
【０００７】
記録紙の取り出しに際しては、装置の外装カバーの一部を開放して搬送路を外部に露呈し、ジャムを発生している記録紙を掴んで引き出すことがあるが、記録紙が破れて破片が搬送路中に残されたままとなる虞がある。
【０００８】
そこで、記録紙の破断などを起こさずに取り出しを行える構成として、装置本体の一部を開閉可能な開閉カバーとし、開閉カバーにベルトを装備させる一方、開閉カバーが閉じられる側の装置本体側には、ベルトと対向する感光体を備えた各色の画像形成ユニットを配置し、開閉カバーを開放することで感光体とベルトとを離すことにより記録紙の搬送路を露呈させて詰まっている記録紙の取り出しを行えるようにした構成が提案されている（例えば、特許文献２）。
【発明の概要】
【発明が解決しようとする課題】
【０００９】
特許文献２に開示されている構成では、開閉カバーの開放によりベルトと画像形成ユニット側の感光体との接触が解除されて搬送路が露呈させることになる。
【００１０】
しかし、記録紙の搬送過程に用いられる部材には、上述したベルトだけではなく、転写位置へのレジストタイミングを設定するレジストローラも含まれており、画像形成ユニットとベルトとの間でジャムを起こした場合には、その搬送方向後端がレジストローラに挟持されたままとなることがある。このため、ベルトと感光体との対向部分を開放により離した場合でも、レジストローラに挟持されている記録紙を取り出す際には記録紙の破断の虞は否めない。
【００１１】
例えば、図１０に示すように、開閉カバーＡをレジストローラＢの近傍に支点Ｃを設けて開閉できるように設けた場合には、開閉カバーを開放して開放した面から手を差し入れて記録紙を、矢印で示すように、開閉カバーＡ側に向け引き出そうとすると、レジストローラＢに挟持されている記録紙の搬送方向後端側から引き出すことになる。このときには、記録紙の搬送方向前端側の面に未定着トナー像が担持されていることから、そのトナー像中のトナーがレジストローラＢに接触してレジストローラＢを汚染する虞がある。レジストローラＢがトナーにより汚染されると、次に繰り出されてくる記録紙が汚染されてしまう結果となる。
【００１２】
このようなレジストローラへの汚染に関して、特許文献２にはレジストローラが存在しておらず、これによって何も考慮されていない。
【００１３】
本発明の目的は、上記従来の記録紙搬送装置、特にレジストローラを含む記録紙搬送装置におけるジャム処理時での問題に鑑み、記録紙の取り出しに際して記録紙に担持されているトナーによるレジストローラの汚染を確実に防止できる構成を備えた記録紙搬送装置およびこれを用いる画像形成装置を提供することにある。
【課題を解決するための手段】
【００１４】
この目的を達成するため、本発明は次の構成よりなる。  
（１）記録媒体の搬送路に設けられて該搬送路を挟んで対構造をなすレジスト手段を備えた記録媒体搬送装置において、
前記レジスト手段の一方は、前記搬送路を構成する不動部に支持され、該レジスト手段の他方は、前記不動部に対して開閉可能に設けられた開閉カバーに支持され、該レジスト手段の他方は、前記開閉カバーの開放時に前記搬送路と対面する位置から前記開閉カバーの内部に向けて移動して収納される機構を備えていることを特徴とする記録媒体搬送装置。
（２）前記開閉カバーの開放時に前記レジスト手段が前記開閉カバーの内部に向け移動して収納される機構は、該開閉カバーの開閉支点の回動に連動する歯車と該歯車に噛み合うことで連動可能なギヤ部を外周に備えた収容歯車を備え、該収容歯車は、外周側に前記レジスト手段の他方の支持部を有して前記開閉カバーの開放時、前記レジスト手段の他方を前記搬送路に対面する位置から該開閉カバーの内部に向け移動させて収容することを特徴とする（１）に記載の記録媒体搬送装置。
（３）前記記録媒体の搬送路には、複数の回転部材が対面させて並置され、該回転部材は、前記開閉カバーの開放時に前記搬送路から離間する機構を備えていることを特徴とする（１）に記載の記録媒体搬送装置。
（４）前記開閉カバーの開放時に前記回転部材を前記搬送路から離間させる機構は、前記開閉カバーの開閉支点の回動に連動する歯車と、該歯車に噛み合い、該歯車の回転に連動して往復動可能な摺動部材とを備え、該摺動部材には、往復動位置に応じて前記回転部材を前記搬送路に対して接離させる駆動部が設けられていることを特徴とする（３）に記載の記録媒体搬送装置。
（５）前記摺動部材には、前記回転部材の支軸を前記搬送路に対して接離させる方向に変位させる突没部が設けられ、往復動位置に応じて前記支軸に対する前記突没部との対向位置を変化させることを特徴とする（４）に記載の記録媒体搬送装置。
（６）前記レジスト手段の他方および前記回転部材は、前記開閉カバーの開放時に回動する前記開閉支点に連動する歯車により、前記搬送路から離間する構成であることを特徴とする（３）に記載の記録媒体搬送装置。
（７）前記レジスト手段の他方には、前記開閉カバーの開放に連動して周囲を覆う遮蔽部材が備えられていることを特徴とする（１）、（３）または（６）のいずれかに記載の記録媒体搬送装置。
（８）前記遮蔽部材は、前記開閉カバーの回動支点近傍の不動部に設けられて突状ガイド面を有する変位ガイド部材と、前記開閉カバーに設けられている支点を中心としてシーソー運動可能であって、該シーソー運動用支点を境にして一端側には前記レジスト手段の他方を覆うことが可能な遮蔽板が設けられ、他端側が前記変位ガイド部材の突状ガイド面に当接する習性を有する遮蔽変位部材と、
前記遮蔽変位部材と当接して該遮蔽変位部材が前記開閉カバーの開閉に応じて支点位置を変位させるのに応じて前記遮蔽板の位置を前記レジスト手段の他方を覆う位置と該覆う位置から離れた位置とに前記遮蔽変位部材をガイドする摺動ガイド部材とを備えていることを特徴とする（７）に記載の記録媒体搬送装置。
（９）（１）乃至（８）のいずれかに記載の記録媒体搬送装置を備えたことを特徴とする画像形成装置。
（１０）前記記録媒体搬送装置は、展張面を有するベルトを備え、該ベルトの展張面に沿って異なる色の画像形成ユニットが並置されていることを特徴とする（９）に記載の画像形成装置。
【発明の効果】
【００１５】
本発明によれば、開閉カバーの開放時、不動部と開閉カバーとにそれぞれ設けられ得ているレジスト手段のうちで開閉カバーにレジスト手段の他方を設け、この他方のレジスト手段が開閉カバーの開放時に開閉カバーの内部に向け移動して収納されるので、レジスト手段の一方から離されて記録紙の挟持を解除することができる。これにより、開閉カバーの開放時、記録紙の端部を対象としたレジスト手段による挟持が解除されて記録紙がレジスト手段に接触することがないので、レジスト手段への汚染が防止されて次に挟持される記録媒体への汚染を防止することができる。
【図面の簡単な説明】
【００１６】
【図１】本発明による記録媒体搬送装置が適用される画像形成装置の構成を説明するための模式図である。
【図２】図１に示した画像形成装置における作像ユニットに用いられるプロセスカートリッジの構成を説明するための模式図である。
【図３】図１に示した画像形成装置の一部を開放した状態を示す模式図である。
【図４】本発明による記録媒体搬送装置における要部構成を説明するための模式図である。
【図５】本発明による記録媒体搬送装置の他の要部構成を説明するための模式図である。
【図６】図５に示した要部構成の作用を説明するための模式図である。
【図７】図４および図５に示した記録材搬送装置における要部の作用を説明するための模式図である。
【図８】本発明による記録媒体搬送装置の別実施形態の要部構成を説明するための模式図である。
【図９】図４に示した要部構成の一部変形例を説明するための模式図である。
【図１０】従来の記録媒体取り出し状態を説明するための模式図である。
【発明を実施するための形態】
【００１７】
以下、図面により本発明を実施するための形態について説明する。  
図１は、本発明による記録媒体搬送装置を適用される画像形成装置１００を説明するための模式図である。  
図１において画像形成装置１は、装置本体１Ａの縦方向略中央に設けられている作像部ＰＩを境にして上部には走査部ＩＳが、そして下部には給紙部ＦＳそれぞれ設けられている。
【００１８】
作像部ＰＩには、異なる色の画像を形成可能な作像ユニット２（便宜上、図１において色を示す符号であるＹ（イエロー）、Ｍ（マゼンタ）、Ｃ（シアン）、Ｋ（ブラック）を付ける）が１次転写装置１０として用いられる中間転写ベルト１０Ａの展張面に沿って並置されている。
【００１９】
作像ユニット２は、図２に示すように中間転写ベルト２Ａに対向当接可能な像担持体としての感光体ドラム３，感光体ドラム３の周囲に配置されている帯電ローラ４，現像ローラ５Ａおよび供給ローラ５Ｂを備えた現像装置５，クリーニング装置６が纏めて収容されたプロセスカートリッジで構成されている。  
本実施形態に用いられるプロセスカートリッジには、現像装置５の本体に加えて、補給トナーを収容しているトナーボトル５Ｃおよびクリーニング装置６によって感光体ドラム３から回収された廃トナーを収容する廃トナーボトル６Ａが纏めて収納されている。
【００２０】
各作像ユニット２における感光体ドラム３と対向する位置には、１次転写装置９に用いられる中間転写ベルト９Ａが複数のローラに掛け回されて配置されている。中間転写ベルト９Ａの内部には、中間転写ベルト９Ａを挟んで各感光体ドラム３と対向する位置に転写バイアスを印加可能な転写ローラ９Ｂが配置されている。
【００２１】
各色の画像を転写し終えた記録紙が移動する位置には、定着装置７が配置されている。定着装置７は、記録紙を挟持搬送しながら加熱・加圧により定着が可能な定着ローラおよび加圧ローラを用いた熱ロール定着構造が用いられている。
【００２２】
以上のような画像形成装置１においては、各作像ユニット２において感光体ドラム３が帯電装置４により一様帯電されると、走査部ＩＳからの走査光によって感光体ドラム３に静電潜像が形成され、現像装置５により供給される現像剤によって可視像処理されてトナー像が形成される。トナー像は、給紙部ＦＳから繰り出されて中間転写ベルト９Ａにより搬送される記録媒体である記録紙に対して順次転写されて重畳画像とされる。
【００２３】
記録紙に担持された重畳画像は、記録紙が定着装置に向け搬送されると加熱定着され、定着装置の後方に配置されている切換爪１０による搬送路切換に応じて排紙トレイ８に向けあるいは両面画像のための反転搬送路ＲＰに向けて搬送される。
【００２４】
給紙部ＦＣから繰り出された記録紙の搬送路には、画像の転写タイミングを整合させるレジストローラ１１および中間転写ベルト９Ａが含まれて構成されている。
【００２５】
レジストローラ１１は、搬送路を挟んで一方１１Ａが画像形成装置１の不動部に相当する装置本体側に設けられており、他方１１Ｂが後述する開閉カバー２０に設けられている。
【００２６】
開閉カバー２０は、装置本体に支点を設けられてヒンジ結合された外装カバーの一部で構成されており、手差しトレイとして用いられるようになっている。
【００２７】
開閉カバー２０は、開放されることにより記録紙の搬送路のうちでレジストローラ１１が位置する搬送路を外部に露呈することができ、搬送路内からジャムした記録紙を取り出す部分としても用いられるようになっている。
【００２８】
レジストローラ１１の他方１１Ｂは、図３に示すように、開閉カバー２０が開放されたときに、開閉カバー２０の内部に向けて移動して収納されるようになっている。
【００２９】
図４は、レジストローラ１１の他方を開閉カバー２０の内部に収容するための機構を示す図である。  
図４において、開閉カバー２０に固定されている支点軸２１Ａには支点軸２１Ａと一体に設けられて支点軸２１Ａの回動に連動して開閉カバー２０の回動方向と同じ方向に連動する駆動歯車２１が取り付けられており、駆動歯車２１には  複数の歯車群２２を介してセクタギヤで構成された収容歯車２３が噛み合うことで連動可能に設けられている。
【００３０】
収容歯車２３は、外周側の一部にレジストローラ１１の他方１１Ｂを支持しており、レジストローラ１１の他方１１Ｂは、収容歯車２３の回転軸を中心に揺動変位することができる。
【００３１】
本実施形態は以上のような構成であるから、開閉カバー２０が開放されると、図４（Ｂ）に示すように、開閉カバー２０の支点２１Ａに一体化されて開閉カバー２０の回動方向と同じ方向に回動可能な駆動ギヤ２１およびギヤ群２２を介して収容歯車２３が回動し、収容歯車２３が揺動する。収容歯車２３が揺動すると、その外周部近傍に支持されているレジストローラ１１の他方１１Ｂが揺動し、その揺動軌跡によってレジストローラ１１の他方１１Ｂが開閉カバー２０の内部に向け移動して収容されることになる。  
これにより、レジストローラ１１により構成されている搬送路において記録紙を挟持していたレジストローラ１１の他方１１Ｂが記録紙から離れることになる。  
この結果、レジストローラ１１の位置から開閉カバー２０側に向けて記録紙を引き出す場合には、レジストローラ１１の他方１１Ｂと記録紙との接触が解消されていることにより、記録紙に担持されている未定着トナーがレジストローラ１１に接触することがなく、レジストローラ１１の汚染を確実に防止することができる。
【００３２】
また、単にレジストローラ１１の他方１１Ｂを一方１１Ａから離すだけではなく、開閉カバー２０の内部に収容しているので、記録紙の引き出しを行う際にレジストローラ１１の他方１１Ｂに手指が触れるのを避けることができる位置にその他方１１Ｂを位置させることができ、手指が汚染されるのを防止することが可能となる。
【００３３】
次に、本発明の別実施形態について説明する。  
本実施形態は、上述したレジストローラ１１と共に記録紙の搬送路に位置する回転部材の一つである感光体ドラム３を開閉カバー２０の開放時に中間転写ベルト５Ａから離すようにしたことを特徴としている。
【００３４】
図５は、このための構成を示す図であり、同図において、開閉カバー２０の支点軸２１Ａに取り付けられている駆動歯車２１には従動歯車２５が噛み合っており、従動歯車２５には、往復動可能な摺動部材２６の歯部２６Ａが噛み合っている。
【００３５】
摺動部材２６は、各作像部２に装備されている感光体ドラム３の並置方向に沿った長手方向を有して感光体ドラム３の回転軸３Ａを下支えする部材である。  
摺動部材２６における各感光体ドラム３の回転軸３Ａに対応する位置には、摺動部材２６の往復動方向と直角な方向に相当する、中間転写ベルト９Ａから感光体ドラム３が接離する方向に変位させる駆動部としての突没部を構成するための凹部２６Ｂが形成されている。  
突没部において、突部は摺動部材２６の表面が相当し、没部歯凹部２６Ｂが相当させてある。このため、突部に感光体ドラム３の回転軸３Ａが位置する場合には、感光体ドラム３が中間転写ベルト９Ａから離れ、没部である凹部２６Ｂに上記回転軸３Ａが位置する場合には、感光体ドラム３が中間転写ベルト９Ａに接触する。なお、図５中、二点鎖線で示す矢印は、感光体ドラム３の回転軸３Ａが突部である手動部材２６の表面に乗り上げて中間転写ベルト９Ａから感光体ドラム３が離れる方向を示している。また、矢印Ｒは、開閉カバー２０が開放位置から閉位置に移行する方向を示し、矢印Ｆは、開閉カバー０２０の閉じ動作に応じて摺動部材２６が移動する方向をそれぞれ示している。
【００３６】
本実施形態は以上のような構成であるから、開閉カバー２０の開閉に応じて摺動部材２６の突没部２６Ｂと感光体ドラム３の回転軸との対向位置が変化する。つまり、開閉カバー２０が開放されると、支点軸２１Ａと連動する駆動歯車２１と噛み合う従動歯車２５を介して摺動部材２６が往復動方向の一方側に移動して感光体ドラム３の回転軸３Ａを突部に対向させる。これにより、感光体ドラム３は、摺動部材２６の没部から突部に移動することで、図６に示すように、中間転写ベルト９Ａから離れる向きに変位される。
【００３７】
中間転写ベルト９Ａから感光体ドラム３が離れることにより、開閉カバー２０側からジャムを生じている記録紙を引き出す際に感光体ドラム３と中間転写ベルト９Ａとの挟持位置で記録紙が引きずられることがなく、感光体ドラム３の表面が記録紙によって摺擦される事態の発生を防止することができる。
【００３８】
次に本発明のさらに別の実施形態について説明する。  
本実施形態は、開閉カバー２０の開放時、レジストローラ１１の他方１１Ｂと感光体ドラム３の両者を同時にレジストローラ１１の一方１１Ａからおよび中間転写ベルト９Ａからそれぞれ離れるようにしたことを特徴としている。
【００３９】
このための構成は、図４および図５に示したように、駆動歯車２１を用いてこれに噛み合う歯車を介した収容歯車２５（図４参照）および摺動部材２６（図５参照）を用いて行われる。
【００４０】
以上の実施形態においては、開閉カバー２０の開放時、図７に示すように、レジストローラ１１の他方１１Ｂが一方１１Ａから離され、また、感光体ドラム３が中間転写ベルト９Ａから離されることにより、記録紙の挟持を解除することでレジストローラ１１Ｂへの汚染および手指への汚染が防止され、感光体ドラム３への摺擦が防止されることになる。
【００４１】
次に、本発明の別の実施形態について説明する。  
本実施形態は、開閉カバー２０に収容されたレジストローラ１１の他方１１Ｂを対象として、その他方１１Ｂを覆って外部からの埃などの付着や手指が触れるのを防止することを特徴としている。
【００４２】
図８は、このための構成を示す図であり、同図において、開閉カバー２０の回動支点近傍で開閉カバー２０の開閉軌跡中において不動部に相当する装置本体側に設けられて突状ガイド面３０Ａを有する変位ガイド部材３０と、開閉カバー２０側に設けられている支点ピン３１Ａを中心にシーソー運動可能であって、該支点ピン３１Ａを境にして一端側にはレジストローラ１１の他方１１Ｂを覆うことができる遮蔽板３２が取り付けられ他端側が変位ガイド部材３１の突状ガイド面３０Ａに当接している遮蔽変位部材３１と、遮蔽変位部材３１と当接して開閉カバー２０の開閉に応じて遮蔽変位部材３１の支点位置が変位するのに応じて遮蔽板３２の位置をレジストローラ１１の他方１１Ｂを覆う位置と覆う位置から離れた位置とに変化させるガイド部材３３とを備えている。以下、各部材の詳細について説明する。
【００４３】
変位ガイド部材３０は、開閉カバー２０の開閉に応じて遮蔽変位部材３１を遮蔽板３２がレジストローラ１１の他方１１Ｂを覆う位置と覆う位置から離れる位置とに変位させる形状の突状ガイド面３０Ａを備えている。つまり、その突状ガイド面３０Ａは、開閉カバー２０が完全に開放されるまでの間、遮蔽変位部材３１の他端を押圧してシーソー運動の作用により遮蔽板３２がレジストローラ１１の他方１１Ｂを覆う位置から離れた状態を維持できる形状とされている。
【００４４】
遮蔽変位部材３１は、その他端がねじりコイルバネなどの弾性体３４による付勢によって変位ガイド部材３０側に変位する初期習性を設定されている。このため、変位ガイド部材３０から遮蔽変位部材３１の他端が外れた場合には、図８（Ｂ）に示すように反時計方向に回動して一端に有する遮蔽板３２をレジストローラ１１の他方１１Ｂに向け変位させて他方１１Ｂを覆うことができる位置に変位させるようになっている。
【００４５】
ガイド部材３３は、一端が開閉カバー２０側に支持され、他端が遮蔽板３２における遮蔽変位部材３１とは異なる位置に取り付けられた湾曲部材であり、湾曲部が遮蔽変位部材３１の揺動変位に際しての係止部として用いられるようになっている。つまり、図８（Ｂ）に示すように、開閉カバー２０が開放された際に開閉カバー２０の内部に収容されるレジストローラ１１の他方１１Ｂを遮蔽板３２が覆うことができる位置に遮蔽変位部材３１を定置させるようになっている。
【００４６】
遮蔽変位部材３１と遮蔽板３２とガイド部材３３とは、概ね４節リンク機構を構成し、遮蔽板３２をレジストローラ１１の他方１１Ｂを覆う状態とこの状態を解除する状態とにその向きを変化させるようになっている。
【００４７】
本実施形態は以上のような構成であるから、開閉カバー２０が閉じられているときには、遮蔽変位部材３１の他端が変位ガイド部材３０のガイド面３０Ａにより押圧されることによって遮蔽板３２をレジストローラ１１の他方１１Ｂから離れた位置に位置決めする。一方、開閉カバー２０が開放されるときには、完全に開放されるまでの間、変位ガイド部材３０のガイド面３０Ａと遮蔽変位部材３１の他端との接触が継続されることにより、遮蔽板３２がレジストローラ１１の他方１１Ｂから離れた状態を維持する（図８（Ａ）参照）。そして、開閉カバー２０が完全に開放されたときには、図８（Ｂ）に示すように、Ａへ異変に部材３の他端が経にガイド部材３０から外れることにより、遮蔽板３２をレジストローラ１１の他方１１Ｂを覆う位置に変位させる一方、その位置は、遮蔽変位部材３１がガイド部材３３に当接することで維持される。
【００４８】
これにより、図４に示した構成を用いて開閉カバー２０の内部にレジストローラ１１の他方１１Ｂが収容されると、その他方１１Ｂが遮蔽板３２によって覆われるので、外部からの埃の付着や手指が触れるのを防止されることになる。
【００４９】
次に、上述した実施形態における要部の変形例について説明する。  
図９は、図４に示したレジストローラ１１の他方１１Ｂを開閉カバー３０の内部に収容する機構において上記他方１１Ｂの支持機構に関する変形例を示す図である。
【００５０】
同図に示す構成は、収容歯車２３に支持されているレジアウトローラ１１の他方１１Ｂを弾性変位可能に設けたことを特徴としている。つまり、レジストローラ１１の他方１１Ｂは、その回転軸が摺動可能な駒体４０に支持されている。  
駒体４０は、コイルバネなどの弾性体４１によってレジストローラ１１の一方１１Ａに対して押圧されるようになっている。なお、図９において符号Ｇは、駒体４０のガイド部を示している。
【００５１】
このような構成においては、レジストローラ１１の他方１１Ｂが一方１１Ａに向け押圧付勢されているので、互いに当接した際には記録紙の挟持圧を適正に維持することができる。しかも、開閉カバー２０が閉じられた際の衝撃力によってレジストローラ１１の一方１１Ａと他方１１Ｂとの当接状態が変化してしまうのを防止することができる。これにより、当接状態においてレジストローラ間で隙間が生じることがなく、レジスト設定が低下するのを防止することが可能となる。
【符号の説明】
【００５２】
１  画像形成装置
１Ａ  不動部である装置本体
２  作像ユニット  
３  回転部材である感光体ドラム
９Ａ  中間転写ベルト
２０  開閉カバー
２１  駆動歯車
２５  収容歯車
２６  摺動部材
２６Ｂ  突没部
３０  変位ガイド部材
３０Ａ  突状ガイド面
３１  遮蔽変位部材
３２  遮蔽板
３３  ガイド部材
【先行技術文献】
【特許文献】
【００５３】
【特許文献１】特開２００８−１６５２５４号公報
【特許文献２】特開２００８−２６２０８７号公報
【図１】
2010191109.tif 000003
【図２】
2010191109.tif 000004
【図３】
2010191109.tif 000005
【図４】
2010191109.tif 000006
【図５】
2010191109.tif 000007
【図６】
2010191109.tif 000008
【図７】
2010191109.tif 000009
【図８】
2010191109.tif 000010
【図９】
2010191109.tif 000011
【図１０】
2010191109.tif 000012